(57)【要約】【課題】複数のキーを保持するキーケースに適用できる点検確認支援装置を提供すること。【解決手段】キーケース１０の第１板状部材１１には、制御部と記憶部と表示部を具備した電子装置２０が取付けられている。キーケース１０の第２板状部材１２には金属製固定軸１５が固着されている。金属製固定軸１５には、夫々の一端を回転可能にして複数の金属製アーム型キー留め具１４が取付けられている。アーム型キー留め具１４の回転を検出してキー出し入れ信号を発生する複数のキー出し入れセンサ３０は、金属製固定軸１５を固定電極とし且つ金属製アーム型キー留め具１４を可動電極として構成されている。前記制御部は前記キー取り出し信号が発生したときに防災・防犯点検催告又はその時の現在時刻を前記記憶部に記憶させ且つ前記表示部に表示させる。【選択図】　　図１
2004124610.tif 000002
【特許請求の範囲】
【請求項１】
夫々の一端を回転可能にしてキーケースに取り付けられた複数のアーム型キー留め具と、制御部と記憶部と表示部を具備し前記キーケースに取り付けられた電子装置と、前記キーケースに取り付けられて前記アーム型キー留め具の回転を検出してキー出し入れ信号を発生する複数のキー出し入れセンサとで構成され、前記制御部は前記キー出し入れ信号が発生したときにその時刻を前記記憶部に記憶させ且つ前記表示部に表示させる点検確認支援装置。
【請求項２】
夫々の一端を回転可能にしてキーケースに取り付けられた複数のアーム型キー留め具と、制御部と記憶部と表示部を具備し前記キーケースに取り付けられた電子装置と、前記キーケースに取り付けられて前記アーム型キー留め具の回転を検出してキー取り出し信号とキー戻し信号を発生する複数のキー出し入れセンサとで構成され、前記制御部は前記キー取り出し信号が発生したときに防災・防犯点検催告を前記表示部に表示させ、前記キー戻し信号が発生した時刻を前記記憶部に記憶させ且つ前記表示部に表示させる点検確認支援装置。
【請求項３】
前記アーム型キー留め具はキーケースに固着された金属製固定軸に一端を回転可能にして取り付けられた金属製アーム型キー留め具であること、及び、前記キー出し入れセンサは検出電極と固定電極と可動電極からなり、前記金属製固定軸を前記固定電極に兼用し、前記金属製アーム型キー留め具を前記かふぉウ電極に兼用して構成された検出スイッチであることを特徴とする請求項１又は２の点検確認支援装置。
【請求項４】
前記キー出し入れセンサは前記アーム型キー留め具の回転運動によって回転するカムと、前記カムで操作されるボタンスイッチで構成された検出スイッチであることを特徴とする請求項１又は２の点検確認支援装置。
【請求項５】
前記キー出し入れセンサは、前記アーム型キー留め具の回転運動によって回転するカムと、前記カムで表面が押圧されるように配置されたゴムシートと、前記ゴムシートの裏側に貼り付けられた半導体ストレンゲージとで構成され、前記カムで押圧されたときの前記ゴムシートの応力変化を感知する感圧センサであることを特徴とする請求項１又は２の点検確認支援装置。
【請求項６】
前記キー出し入れセンサは、前記アーム型キー留め具の回転運動によって回転するカムと、前記カムで表面が押圧されるように配置されたゴムシートと、前記ゴムシートの裏側に貼り付けられた可動電極板と、前記キーケースの表面に固着された固定電極板とから構成され、前記カムで前記ゴムシートが押圧されて変化する静電容量を感知する静電容量型センサであることを特徴とする請求項１又は２の点検確認支援装置。
【請求項７】
前記カムは前記アーム型キー留め具の一端に一体に形成されていることを特徴とする請求項４、５又は６の点検確認支援装置。
【発明の詳細な説明】
【０００１】
【発明の属する技術分野】
本発明は、施錠時に利用者の施錠等の防災・防犯確認を支援する点検確認支援装置に関する。
【０００２】
【従来の技術】
【特許文献１】特開２００１−２８８９３９
【特許文献２】特開２００２−２８０１７
【０００３】
外出した際に、施錠したか否か不安感に襲われることは誰もが体験することであろう。外出直後であれば引き返して施錠を再確認する人も少なくない。中には近所や親類に電話で依頼し安全を再確認して貰う心配性の人もいる。特に独り暮らしのお年寄りの多くが、しばしばこのような行為をしているようである。また、ガス、電気、戸締まり等の家庭内の安全点検確認にまつわる不安感についても、同様である。
【０００４】
そこで、このような不安を解消する点検確認支援装置が特許文献１に開示されている。即ち、この点検確認支援装置は電子装置とキーホルダーとキー出し入れセンサとで構成されたもので、前記電子装置は制御部と記憶部と表示部を備えており、前記キーホルダーはキー取り出し信号とキー戻し信号を発生するキー出し入れセンサを備えている。
【０００５】
利用者がキーホルダーからキーを取り出すと、前記キー出し入れセンサはキー取り出し信号を発生する。すると、前記制御部は前記表示部に防災・防犯メッセージやマークを表示し、利用者に火の始末・戸締まりの確認を促す。施錠後に利用者がキーをキーホルダーに戻すと、前記キー出し入れセンサはキー戻し信号を発生する。すると、前記制御部は電子時計が計時している現在時刻を施錠時刻として前記記憶部に記憶し前記表示部に前記施錠時刻を表示させる。この施錠時刻の表示を見て、利用者は施錠したことと防災・防犯の確認をしたことを、自分の脳裏に明瞭に記憶することができる。前記記憶部に記憶されている施錠時刻は、確認ボタンを操作すると前記表示部に再表示される。これによって、利用者は施錠したことと防災・防犯の確認をしたことを再確認することができる。
【０００６】
上記の点検確認支援装置は、複雑な施錠センサでなく簡単なキー出し入れセンサを用いて構成されているので、安く大量に製造できる。また、キー出し入れセンサは既存のキーにも適用できる汎用性の高いものである。しかしながら前記キー出し入れセンサは、特許文献２に開示されている如きキーケース、即ち複数のキーを保持するキーケースには適用し難いという問題がある。
【０００７】
【発明が解決しようとする課題】
解決しようとする第１の課題は、複数のキーを保持するキーケースに適用できる汎用性の高い点検確認支援装置を提供することである。
【０００８】
【課題を解決するための手段】
上記課題を解決する第１の点検確認支援装置は、夫々の一端を回転可能にしてキーケースに取り付けられた複数のアーム型キー留め具と、制御部と記憶部と表示部を備え前記キーケースに取り付けられた電子装置と、前記キーケースに取り付けられて前記アーム型キー留め具の回転を検出してキー出し入れ信号を発生するキー出し入れセンサとで構成されたものである。そして、前記制御部は前記キー出し入れ信号が発生したときにその時刻を前記記憶部に記憶させ且つ前記表示部に表示させる。
【０００９】
上記課題を解決する第２の点検確認支援装置は、夫々の一端を回転可能にしてキーケースに取り付けられた複数のアーム型キー留め具と、制御部と記憶部と表示部を備え前記キーケースに取り付けられた電子装置と、前記キーケースに取り付けられて前記アーム型キー留め具の回転を検出してキー取り出し信号とキー戻し信号を発生するキー出し入れセンサとで構成されたものである。そして、前記制御部は前記キー取り出し信号が発生したときに防災・防犯点検催告を前記表示部に表示させ、前記キー戻し信号が発生したときにその時刻を前記記憶部に記憶させ且つ前記表示部に表示させる。
【００１０】
上記第１又は第２の点検確認支援装置において、前記アーム型キー留め具はキーケースに固着された金属製固定軸に一端を回転可能にして取り付けられた金属製アーム型キー留め具であり、前記キー出し入れセンサは夫々が検出電極を有する複数の検出スイッチから構成されたものであり、そして、前記検出スイッチは前記金属製固定軸を固定電極とし、且つ前記金属製アーム型キー留め具を前記固定電極と前記検出電極とを選択的に断続する可動電極として構成されたものである。
【００１１】
或いは、上記第１又は第２の点検確認支援装置において、前記複数のアーム型キー留め具の夫々の回転軸側の一端にはカムが取り付けられたものであり、そして、前記キー出し入れセンサは前記複数のアーム型キー留め具のカムで夫々操作される複数の検出スイッチで構成されたものである。
【００１２】
前記検出スイッチは、ボタンスイッチ、半導体ストレンゲージを用いた感圧センサ、可変容量コンデンサを備えた静電容量型センサである。
【００１３】
【発明の実施の形態】
本発明の一実施形態は、図１の斜視図に示す如く、キーケース１０は第１板状部材１１と第２板状部材１２を有する札入れ型キーケースに適用された点検確認支援装置である。第１板状部材１１には電子装置２０が取り付けられ、第２板状部材１２には複数の金属製アーム型キー留め具１４と複数のキー出し入れセンサ３０が取り付けられている。第１板状部材１１と第２板状部材１２の間には、キーケースに保持されているキーＫによって電子装置２０が損傷を受けないように保護カバー１３が配置されている。第１板状部材１１と第２板状部材１２は、ビニールなどの高分子材料、人工皮革、天然皮革などの基材で製作されている。
【００１４】
電子装置２０は、図２にブロック回路図で示す如く、制御回路２１とクロック２３とから構成された制御部、メモリ２２で構成された記憶部、表示回路２４と表示素子２５で構成された表示部、操作ボタン２６及び電源２７を具備している。
【００１５】
金属製アーム型キー留め具１４は、図３の部分拡大断面図に示す如く、回転軸と係合する係合端１４ａと、フック状のキー留め１４ｂが形成されたフック端とを有する。金属製アーム型キー留め具１４の係合端１４ａは、第２板状部材１２に固着されている金属製固定軸１５に回転可能に取付けられている。キーＫは、保持穴Ｋａに前記キー留め１４ｂを貫通してキーケース１０に保持されている。
【００１６】
キー出し入れセンサ３０の第１実施形態は、図３の部分拡大断面図に示す如く、第２板状部材１２に取付けられている固定電極と検出電極１７とを選択的に断続する可動電極とから構成されたスイッチ型センサである。キーケース１０の金属製固定軸１５は前記固定電極に兼用され、金属製アーム型キー留め具１４は前記可動電極に兼用されている。金属製固定軸１５はアース部材１６を経てアースされている。また、検出電極１７は電子装置２０の制御回路２１に接続されている。
【００１７】
キー出し入れセンサ３０は、キーケースに収納されたキーが出し入れされる過程でキー出し入れ信号を発生する。図１のキーＫは１本が収納状態にあり、他の１本はは取り出し状態にある。また、図３のキーＫは収納状態にある。キーＫが収納状態にあるときは、固定電極である金属製固定軸１５と検出電極１７とは可動電極である金属製アーム型キー留め具１４によって電気的に接続されている。利用者がキーＫをキーケース１０から取り出すと、金属製アーム型キー留め具１４は図３の状態から反時計方向に回転する。この回転により金属製アーム型キー留め具１４は検出電極１７から離れた瞬間に、キー出し入れセンサ３０は第１キー出し入れ信号を発生する。利用者が施錠又は解錠し、キーＫをキーケース１０に収納すると、金属製アーム型キー留め具１４は時計方向に回転する。金属製アーム型キー留め具１４が図３の状態に戻った瞬間に、キー出し入れセンサ３０は第２キー出し入れ信号を発生する。第１キー出し入れ信号はキー取り出し信号であり、第２キー出し入れ信号はキー戻し信号である。
【００１８】
上述の如く構成された本発明に係る点検確認支援装置において、利用者がキーホルダー１０からキーＫを取り出すと、キー出し入れセンサ３０はキー取り出し信号を発生する。すると、制御回路２１はメモリ２２に記憶されている防災・防犯メッセージやマークを読み出し、表示回路２４を制御して液晶表示素子２５に表示し、利用者に火の始末・戸締まりの確認を促す。
【００１９】
施錠後に利用者がキーＫをキーホルダー１０に戻すと、キー出し入れセンサ３０はキー戻し信号を発生する。すると、制御回路３１はクロック２３が計時している現在時刻を施錠時刻としてメモリ２２に記憶し且つ表示回路２４を制御して液晶表示素子２５に前記施錠時刻を表示させる。この施錠時刻の表示を見て、利用者は施錠したことと防災・防犯の確認をしたことを、自分の脳裏に明瞭に記憶することができる。メモリ２２に記憶されている施錠時刻は、電子装置２０に設けられている操作ボタン２６を操作すると液晶表示素子２５に再表示される。これによって、利用者は施錠したことと防災・防犯の確認をしたことを再確認することができる。
【００２０】
次に、第２実施形態のキー出し入れセンサ３０は、図４に示す如く、アーム型キー留め具１４の回転運動によって回転するカム１７と、カム１７で操作されるボタンスイッチ３１で構成されたセンサである。図４において、（Ａ）はキーＫがキーケース１０に収納されている状態を、（Ｂ）はキーＫがキーケース１０から取り出される途中の状態を、更に（Ｃ）はキーＫが取り出された状態を夫々示す。図３から理解される通り、キー出し入れセンサ３０は、キーケース１０に収納されたキーＫが出し入れされる過程でキー出し入れ信号を発生する。即ち、利用者がキーＫをキーケース１０から取り出すと、アーム型キー留め具１４は図４（Ａ）の水平位置から反時計方向に回転する。アーム型キー留め具１４が図４（Ｂ）の垂直位置に達すると、カム１７はボタンスイッチ３１を押し下げて第１キー出し入れ信号を発生する。利用者が施錠又は解錠し、キーＫをキーケース１０に収納すると、アーム型キー留め具１４は時計方向に回転する。アーム型キー留め具１４が図４（Ｂ）の垂直位置に達すると、カム１７はボタンスイッチ３１を押し下げて第２キー出し入れ信号を発生する。第１キー出し入れ信号はキー取り出し信号であり、第２キー出し入れ信号はキー戻し信号である。
【００２１】
次に、第３実施形態のキー出し入れセンサ３０は、第２実施形態を構成するボタンスイッチ３１に代えて感圧センサを用いたものである。即ち、図４と図５を参照して説明すると、第３実施形態のキー出し入れセンサ３０は、アーム型キー留め具１４の回転運動によって回転するカム１７と、キーケース１０の第２板状部材１２の表面に配置されてカム１７で表面が押圧されるゴムシート３２と、ゴムシート３２の裏側に貼り付けられた半導体ストレンゲージ３３とで構成され、カム１７で押圧されたときのゴムシート３２の応力変化を感知する感圧センサである。ゴムシート３２と第２板状部材１２との間には、カム１７で押圧されたゴムシート３２が所望の変形を可能にするために、狭い空隙３６が形成されている。空隙３６は数１００μ程度でよい。第３実施形態のキー出し入れセンサ３０は、第２実施形態のキー出し入れセンサ３０と同じように、利用者がキーケース１０からキーＫを出し入れすると、キー出し入れ信号を発生する。
【００２２】
更に、第４実施形態のキー出し入れセンサ３０は、第２実施形態を構成するボタンスイッチ３１に代えて可変容量型センサを用いたものである。即ち、図４と図６を参照して説明すると、第４実施形態のキー出し入れセンサ３０は、アーム型キー留め具１４の回転運動によって回転するカム１７と、キーケース１０の第２板状部材１２の表面に配置されてカム１７で表面が押圧されるゴムシート３２と、ゴムシート３２の裏側に貼り付けられた可動電極板３４と、キーケース１０の第２板状部材１２の表面に固着された固定電極板３５とから構成され、カム１７でゴムシート３２が押圧されて変化する可変容量コンデンサの静電容量を感知する静電容量型センサである。可動電極板３４と固定電極板３５は前記可変容量コンデンサを構成しているのである。ゴムシート３２と第２板状部材１２との間には、カム１７で押圧されたゴムシート３２が所望の変形を可能にするために、狭い空隙３６が形成されている。空隙３６は数１００μ程度でよい。また、この空隙３６には誘電体を介在させることも可能である。第４実施形態のキー出し入れセンサ３０は、第２実施形態のキー出し入れセンサ３０と同じように、利用者がキーケース１０からキーＫを出し入れすると、キー出し入れ信号を発生する。
【００２３】
なお、上述の第２〜第４実施形態のキー出し入れセンサ３０を構成するカム１７は、アーム型キー留め具１４の一端にその軸方向に対して水平にして一体に形成されているが、その軸方向に対して垂直にして一体に形成されてもよい。また、カム１７はアーム型キー留め具１４と別体にして構成することも可能である。更に、アーム型キー留め具１４は金属材で作製されたものを示したが、プラスチック材で作製してもよい。
【００２４】
【発明の効果】
本発明により、複数のキーを保持するキーケースに適用できる汎用性の高い点検確認支援装置を提供することができた。
【図面の簡単な説明】
【図１】本発明に係る点検確認支援装置の一実施形態の斜視図である。
【図２】本発明に係る点検確認支援装置を構成する電子装置の回路ブロック図である。
【図３】第１実施形態のキー出し入れセンサの部分拡大断面図である。
【図４】第２実施形態のキー出し入れセンサの断面図で、（Ａ）はキー収納時、（Ｂ）はキー出し入れ時、（Ｃ）はキー使用時の状態を夫々示す。
【図５】第３実施形態のキー出し入れセンサの部分拡大断面図である。
【図６】第４実施形態のキー出し入れセンサの部分拡大断面図である。
【符号の説明】
１０　キーケース
１１　第１板状部材
１２　第２板状部材
１３　保護カバー
１４　アーム型キー留め具
１４ａ　係合端
１４ｂ　フック端
１５　金属製固定軸
１６　アース部材
１７　カム
２０　電子装置
２１　制御回路
２２　メモリ
２３　クロック
２４　表示回路
２５　表示素子
２６　操作ボタン
２７　電源
３０　キー出し入れセンサ
３１　ボタンスイッチ
３２　ゴムシート
３３　ストレンゲージ
３４　可変電極板
３５　固定電極板
３６　空隙
Ｋ　キー
【図１】
2004124610.tif 000003
【図２】
2004124610.tif 000004
【図３】
2004124610.tif 000005
【図４】
2004124610.tif 000006
【図５】
2004124610.tif 000007
【図６】
2004124610.tif 000008